(57)【要約】【課題】遠赤外線繊維の男性性機能を増強するための下着を提供する。【解決手段】本発明は、特殊な合成薬及び漢方薬組成物を服用する方式で男性性機能を即効的に改善するための多くの従来技術と異なり、複数本の遠赤外線繊維と複数本の繊維とから編成された男性性機能を増強するための下着である。臨床データによれば、男性性機能障害を罹患した成人及び男性性機能障害を罹患した「かもしれない」成人に、かかる男性性機能を増強するための下着を継続的に３ヶ月間にわたり着用してもらったところ、勃起機能、勃起の質、射精コントロール能力と下部尿路症状を著しく改善することが明らかになった。同時に、臨床データによれば、成年男性に、本発明にかかる男性性機能を増強するための下着を継続的に３ヶ月間にわたり着用しても、その生理的状態に対して何らの悪影響も与えない。【選択図】図５
2019056196.tif 000002
【特許請求の範囲】
【請求項１】
複数本の遠赤外線繊維と複数本の繊維とから編成された男性性機能を増強するための下着であって、
各本の遠赤外線繊維は、ポリマー鞘と、前記ポリマー鞘内にドープされ包まれた複数粒の遠赤外線金属顆粒とを含み、
当該遠赤外線繊維の繊維数が、前記男性性機能を増強するための下着の繊維総数の２０％〜５０％を占めることを特徴とする、
遠赤外線繊維の男性性機能を増強するための下着。
【請求項２】
前記男性性機能を増強するための下着のタイプは、ブリーフ（Ｂｒｉｅｆｓ）、ボクサーブリーフ（Ｂｏｘｅｒ  ｂｒｉｅｆｓ）、またはトランクス（Ｂｏｘｅｒ  ｓｈｏｒｔｓ）のいずれか１種であることを特徴とする、請求項１に記載の遠赤外線繊維の男性性機能を増強するための下着。
【請求項３】
前記ポリマー鞘の製造材料は、ポリエステル（Ｐｏｌｙｅｓｔｅｒ，ＰＥＴ）、ポリウレタン（Ｐｏｌｙｕｒｅｔｈａｎｅ，ＰＵ）、ポリ塩化ビニル（Ｐｏｌｙ（ｖｉｎｙｌ  ｃｈｌｏｒｉｄｅ），ＰＶＣ）、ポリプロピレン（Ｐｏｌｙ  ｐｒｏｐｙｌｅｎｅ，ＰＰ）、またはポリアミド（Ｐｏｌｙａｍｉｄｅ，ＰＡ）のいずれか１種であることを特徴とする、請求項１に記載の遠赤外線繊維の男性性機能を増強するための下着。
【請求項４】
前記ポリマー鞘は、高分子ポリマーからなり、かつ前記高分子ポリマーは、少なくとも５０ｗｔ％（重量比）以上のシリカ（ｓｉｌｉｃａ）材料を含有し、前記高分子ポリマーが下記化学構造式（１）で示されることを特徴とする、請求項１に記載の遠赤外線繊維の男性性機能を増強するための下着。
【化１】
2019056196.tif 000011
（式中、ｎは５０〜１００である）
【請求項５】
前記複数粒の遠赤外線金属顆粒は、１１ｗｔ％〜１８ｗｔ％である第１金属重量百分率を持つ粉体チタニウム金属と、０．１ｗｔ％〜０．２ｗｔ％である第２金属重量百分率を持つ粉体ゲルマニウム金属と、０．０５ｗｔ％〜０．１５ｗｔ％である第３金属重量百分率を持つ粉体亜鉛金属とを含むことを特徴とする、請求項１に記載の遠赤外線繊維の男性性機能を増強するための下着。
【請求項６】
前記複数本の遠赤外線繊維は、２μｍ〜２２μｍにある波長範囲の遠赤外線を発生し、かつ前記遠赤外線の平均放射率が少なくとも９０％であることを特徴とする、請求項５に記載の遠赤外線繊維の男性性機能を増強するための下着。
【請求項７】
前記複数粒の遠赤外線金属顆粒は、前記遠赤外線の平均放射率を増大させるために、粉体酸化物と粉体炭化物とをさらに含むことを特徴とする、請求項５に記載の遠赤外線繊維の男性性機能を増強するための下着。
【請求項８】
前記粉体酸化物の材料は、Ａｌ２Ｏ３、ＭｇＯ、ＮｉＯ２、ＳｉＯ２、ＺｒＯ２から選択されたいずれか１種であるか、または２種あるいは２種以上の混合物であることを特徴とする、請求項７に記載の遠赤外線繊維の男性性機能を増強するための下着。
【請求項９】
前記粉体炭化物の材料は、ＴａＣ、ＺｒＣ、ＳｉＣから選択されたいずれか１種であるか、または２種あるいは２種以上の混合物であることを特徴とする、請求項７に記載の遠赤外線繊維の男性性機能を増強するための下着。
【請求項１０】
複数本の遠赤外線繊維から編成された男性性機能を増強するための下着であって、
各本の遠赤外線繊維は、ポリマー鞘と、前記ポリマー鞘内にドープされ包まれた複数粒の遠赤外線金属顆粒とを含むことを特徴とする、
遠赤外線繊維の男性性機能を増強するための下着。
【請求項１１】
前記男性性機能を増強するための下着のタイプは、ブリーフ（Ｂｒｉｅｆｓ）、ボクサーブリーフ（Ｂｏｘｅｒ  ｂｒｉｅｆｓ）、またはトランクス（Ｂｏｘｅｒ  ｓｈｏｒｔｓ）のいずれか１種であることを特徴とする、請求項１０に記載の遠赤外線繊維の男性性機能を増強するための下着。
【請求項１２】
前記ポリマー鞘の製造材料は、ポリエステル（Ｐｏｌｙｅｓｔｅｒ，ＰＥＴ）、ポリウレタン（Ｐｏｌｙｕｒｅｔｈａｎｅ，ＰＵ）、ポリ塩化ビニル（Ｐｏｌｙ（ｖｉｎｙｌ  ｃｈｌｏｒｉｄｅ），ＰＶＣ）、ポリプロピレン（Ｐｏｌｙ  ｐｒｏｐｙｌｅｎｅ，ＰＰ）、またはポリアミド（Ｐｏｌｙａｍｉｄｅ，ＰＡ）のいずれか１種であることを特徴とする、請求項１０に記載の遠赤外線繊維の男性性機能を増強するための下着。
【請求項１３】
前記ポリマー鞘は、高分子ポリマーからなり、かつ前記高分子ポリマーは、少なくとも５０ｗｔ％（重量比）以上のシリカ（ｓｉｌｉｃａ）材料を含有し、前記高分子ポリマーが下記化学構造式（２）で示されることを特徴とする、請求項１０に記載の遠赤外線繊維の男性性機能を増強するための下着。
【化２】
2019056196.tif 000012
（式中、ｎは５０〜１００である）
【請求項１４】
前記複数粒の遠赤外線金属顆粒は、１１ｗｔ％〜１８ｗｔ％である第１金属重量百分率を持つ粉体チタニウム金属と、０．１ｗｔ％〜０．２ｗｔ％である第２金属重量百分率を持つ粉体ゲルマニウム金属と、０．０５ｗｔ％〜０．１５ｗｔ％である第３金属重量百分率を持つ粉体亜鉛金属とを含むことを特徴とする、請求項１０に記載の遠赤外線繊維の男性性機能を増強するための下着。
【請求項１５】
前記複数本の遠赤外線繊維は、２μｍ〜２２μｍにある波長範囲の遠赤外線を発生し、かつ前記遠赤外線の平均放射率が少なくとも９０％であることを特徴とする、請求項１４に記載の遠赤外線繊維の男性性機能を増強するための下着。
【請求項１６】
前記複数粒の遠赤外線金属顆粒は、前記遠赤外線の平均放射率を増大させるために、粉体酸化物と粉体炭化物とをさらに含むことを特徴とする、請求項１４に記載の遠赤外線繊維の男性性機能を増強するための下着。
【請求項１７】
前記粉体酸化物の材料は、Ａｌ２Ｏ３、ＭｇＯ、ＮｉＯ２、ＳｉＯ２、ＺｒＯ２から選択されたいずれか１種であるか、または２種あるいは２種以上の混合物であることを特徴とする、請求項１６に記載の遠赤外線繊維の男性性機能を増強するための下着。
【請求項１８】
前記粉体炭化物の材料は、ＴａＣ、ＺｒＣ、ＳｉＣから選択されたいずれか１種であるか、または２種あるいは２種以上の混合物であることを特徴とする、請求項１６に記載の遠赤外線繊維の男性性機能を増強するための下着。
【発明の詳細な説明】
【技術分野】
【０００１】
本発明は、遠赤外線繊維の技術分野に係り、特に、遠赤外線繊維の男性性機能を増強するための下着に関する。
【背景技術】
【０００２】
男性性機能障害（ｍａｌｅ  ｓｅｘｕａｌ  ｄｙｓｆｕｎｃｔｉｏｎ）は、勃起機能障害（Ｅｒｅｃｔｉｌｅ  ｄｙｓｆｕｎｃｔｉｏｎ，ＥＤ）、早漏（Ｐｒｅｍａｔｕｒｅ  ｅｊａｃｕｌａｔｉｏｎ、ＰＥ）、遅発射精（Ｄｅｌａｙｅｄ  ｅｊａｃｕｌａｔｉｏｎ）と性欲減退（Ｌｏｗ  ｌｉｂｉｄｏ）に分けられる。男性性機能障害の発生に関与する因子は、心理的因子、生理的因子及び薬剤性因子を含み、その内、心理的因子の成因は、うつ病、自信喪失及び性行為に対する不安・心配を含み、かつ生理的因子の主因は、陰茎海綿体の損傷、内分泌系疾患と心血管疾患を含む。
一方、薬剤性因子の成因は、高血圧の薬及び／または精神科の薬の服用により引き起こす副作用である。
【０００３】
臨床データによれば、年齢が５０歳以上の男性の約半数が、勃起機能に何らかの問題があり、例えば、勃起機能障害（ＥＤ）または早漏（ＰＥ）の原因で、正常な性行為を行い得ない。臨床上、通常、高い薬剤耐性と利便性などの利点を有する経口ホスホジエステラーゼ５型阻害剤（Ｐｈｏｓｐｈｏｄｉｅｓｔｅｒａｓｅ  ｔｙｐｅ  ５  （ＰＤＥ５）  ｉｎｈｉｂｉｔｏｒ）は、勃起機能障害の治療に応用することができる。現在、ホスホジエステラーゼ阻害剤の処方薬は、バイアグラ（Ｖｉａｇｒａ（登録商標），ｓｉｌｄｅｎａｆｉｌ）、レビトラ（Ｌｅｖｉｔｒａ（登録商標），ｖａｒｄｅｎａｆｉｌ）とシアリス（Ｃｉａｌｉｓ（登録商標），ｔａｄａｌａｆｉｌ）を含む。これら３種類の処方薬は、勃起機能障害を改善する方式について、いずれも陰茎海綿体の平滑筋を弛緩させることで、血管を拡張させて勃起を維持する働きをする。
しかし、心臓疾患の患者（狭心症、心不全及び心疾患の既往歴がある者）、脳卒中の患者または鎌状赤血球貧血症の患者は、全てホスホジエステラーゼ阻害剤の服用が適さない患者であり、その原因は、ホスホジエステラーゼ阻害剤と一部の薬物（併用禁忌薬）を組み合わせて使用すると、医薬品同士の相互作用によって患者の生命を脅かす危険があるので、十分に注意する必要がある。これ以外に、ホスホジエステラーゼ阻害剤は、頭痛、めまい、顔面紅潮、胃部不快感、視覚異常、鼻づまり、筋肉痛、背部痛などを含む副作用を引き起こすこともある。
【０００４】
薬には必ず副作用が伴い、大部分の合成薬の使用に付随する副作用に鑑みて、米国特許第７，１４７，８７４号明細書には、早発射精を予防または治療するための医薬組成物が開示されている。前記医薬組成物は、センソの抽出物（Ｅｘｔｒａｃｔ  ｏｆ  Ｂｕｆｏｎｉｓ  Ｖｅｎｅｎｕｍ）と、サポニン（Ｓａｐｏｎｉｎｓ）含有のニンジンの抽出物（Ｅｘｔｒａｃｔ  ｏｆ  Ｇｉｎｓｅｎｇ）とを含む。早発射精を治療するための応用方法において、かかる医薬組成物を男性の陰茎亀頭に塗ることにより、陰茎筋肉の収縮を減少させて局所麻酔を提供する方式によって、性行為の時間を延長する効果が達成される。
しかし、前記医薬組成物は、単に毎回の性行為の際、早発射精を予防するための単回の性治療効果のみを提供すると共に、男性性機能障害に実質的な改善効果が認められなかった。これ以外に、かかる医薬組成物の成分は、いずれも漢方薬材の抽出物であっても、長期服用の結果、必ずしも服用者の身体に悪影響を与えず、あるいは使用により発生する如何なる副作用もないと明確に保証することができない点に留意しなければならない。
【０００５】
以上に鑑みて、医療器材製造業者は、米国特許第８，２１１，００６号明細書に開示されている男性勃起安定器を売り出した。図１は、男性勃起安定器を示す斜視図である。図１に示すように、従来の男性勃起安定器１’は、主体１１’と、前記主体１１’を貫通する中央貫通孔１２’とを備える。かかる男性勃起安定器１’を応用する時、前記中央貫通孔１２’に陰茎が挿入され、この時、中央貫通孔１２’の前端部に形成された小径部によって、陰茎に血液が容易に供給される。これにより、着用者の陰茎の勃起状態は、性行為を完了するまで十分に維持することができる。
注意すべきことは、バイアグラ、レビトラ、シアリス、または漢方薬組成物のいずれも、男性性機能障害に対する薬物治療とは異なり、米国特許第８，２１１，００６号明細書に開示されている男性勃起安定器１’は、特殊な機構設計によって陰茎の勃起状態を改善するものである。しかし、前記男性勃起安定器１’の応用方式としては、着用者の陰茎に付けられる方式が原因で、前記男性勃起安定器１’を頻繁に繰り返し使用すると、陰茎を傷つけるおそれがある。
【先行技術文献】
【特許文献】
【０００６】
【特許文献１】米国特許第７，１４７，８７４号明細書
【特許文献２】米国特許第８，２１１，００６号明細書
【発明の概要】
【発明が解決しようとする課題】
【０００７】
上記の説明から分かるように、上記で紹介した漢方薬組成物と男性勃起安定器１’のいずれも、使用上は数多くの欠点と不都合を有する。これに鑑みて、本願の発明者は、極力研究発明した結果、本発明の遠赤外線繊維の男性性機能を増強するための下着を研究開発して完成させた。
【０００８】
本発明の目的は、遠赤外線繊維の男性性機能を増強するための下着を提供することである。本発明は、特殊な合成薬及び漢方薬組成物を服用する方式で男性性機能を即効的に改善するための多くの従来技術と異なり、複数本の遠赤外線繊維と複数本の繊維とから編成された男性性機能を増強するための下着である。
臨床データによれば、男性性機能障害を罹患した成人及び男性性機能障害を罹患した「かもしれない」成人に、かかる男性性機能を増強するための下着を継続的に３ヶ月間にわたり着用してもらったところ、勃起機能、勃起の質、射精コントロール能力と下部尿路症状を著しく改善することが明らかになった。同時に、臨床データによれば、成年男性に、本発明にかかる男性性機能を増強するための下着を継続的に３ヶ月間にわたり着用しても、その生理的状態に対して何らの悪影響も与えない。
【課題を解決するための手段】
【０００９】
従って、上記のような本発明の主要な目的を達成するために、本願の発明者は、かかる遠赤外線繊維の男性性機能を増強するための下着の一実施例を提供する。その内、かかる男性性機能を増強するための下着は、複数本の遠赤外線繊維と複数本の繊維とから編成され、かつ各本の遠赤外線繊維は、ポリマー鞘と、前記ポリマー鞘内にドープされた・包まれた複数粒の遠赤外線金属顆粒とを含み、なおかつ、当該遠赤外線繊維の繊維数が、前記男性性機能を増強するための下着の繊維総数の２０％〜５０％を占める。
【００１０】
また、上記のような本発明の主要な目的を達成するために、本願の発明者は、かかる遠赤外線繊維の男性性機能を増強するための下着の別の実施例を提供する。その内、かかる男性性機能を増強するための下着は、複数本の遠赤外線繊維から編成され、かつ各本の遠赤外線繊維は、ポリマー鞘と、前記ポリマー鞘内にドープされた・包まれた複数粒の遠赤外線金属顆粒とを含む。
【００１１】
上述した実施例において、かかる男性性機能を増強するための下着のタイプは、ブリーフ（Ｂｒｉｅｆｓ）、ボクサーブリーフ（Ｂｏｘｅｒ  ｂｒｉｅｆｓ）、またはトランクス（Ｂｏｘｅｒ  ｓｈｏｒｔｓ）のいずれか１種であってもよい。
【００１２】
上述した実施例において、かかる複数粒の遠赤外線金属顆粒は、粉体チタニウム金属と、粉体ゲルマニウム金属と、粉体亜鉛金属とを含み、その内、前記粉体チタニウム金属、前記粉体ゲルマニウム金属と前記粉体亜鉛金属は、それぞれ第１金属重量百分率、第２金属重量百分率と第３金属重量百分率を持ち、なおかつ、前記第１金属重量百分率は１１ｗｔ％〜１８ｗｔ％の間であり、前記第２金属重量百分率は０．１ｗｔ％〜０．２ｗｔ％の間であり、かつ前記第３金属重量百分率は０．０５ｗｔ％〜０．１５ｗｔ％の間である。
【００１３】
上述した実施例において、前記複数本の遠赤外線繊維は、２μｍ〜２２μｍにある波長範囲の遠赤外線を発生することができ、かつ前記遠赤外線の平均放射率が少なくとも９０％である。
【００１４】
上述した実施例において、複数粒の遠赤外線金属顆粒は、前記遠赤外線の平均放射率を増大させるために、粉体酸化物と粉体炭化物とをさらに含む。
【００１５】
上述した実施例において、前記複数粒の遠赤外線金属顆粒中に他の粉体金属をさらに添加してもよく、例えば、銅、銀、アルミニウム、マグネシウムのいずれか１種の粉体金属を添加してもよく、それらの中で任意の２種または２種以上の粉体金属の混合物を添加してもよい。
【図面の簡単な説明】
【００１６】
【図１】男性勃起安定器を示す斜視図である。
【図２Ａ】男性性機能を増強するための下着の第１実施例を示す斜視図である。
【図２Ｂ】男性性機能を増強するための下着の第１実施例を示す斜視図である。
【図３】遠赤外線繊維を示す断面図である。
【図４Ａ】男性性機能を増強するための下着の製作工程を示す模式図である。
【図４Ｂ】男性性機能を増強するための下着の製作工程を示す模式図である。
【図４Ｃ】男性性機能を増強するための下着の製作工程を示す模式図である。
【図５】男性性機能を増強するための下着の第２実施例を示す斜視図である。
【図６】男性性機能を増強するための下着の第３実施例を示す斜視図である。
【図７】ＩＩＥＦ−５質問票を示す図表である。
【図８】ＱＥＱ質問票を示す図表である。
【図９】ＰＥＤＴ質問票を示す図表である。
【図１０】ＩＰＳＳ質問票を示す図表である。
【図１１】臨床試験月数とアンケート平均スコアとの関係を示すデータグラフである。
【図１２】臨床試験月数とアンケート平均スコアとの関係を示すデータグラフである。
【図１３】臨床試験月数と平均スコア変化量との関係を示すデータグラフである。
【図１４】臨床試験月数と平均スコア変化量との関係を示すデータグラフである。
【図１５】臨床試験月数とアンケート平均スコアとの関係を示すデータグラフである。
【図１６】臨床試験月数とアンケート平均スコアとの関係を示すデータグラフである。
【図１７】臨床試験月数と平均スコア変化量との関係を示すデータグラフである。
【図１８】臨床試験月数と平均スコア変化量との関係を示すデータグラフである。
【図１９】臨床試験月数とアンケート平均スコアとの関係を示すデータグラフである。
【図２０】臨床試験月数とアンケート平均スコアとの関係を示すデータグラフである。
【図２１】臨床試験月数と平均スコア変化量との関係を示すデータグラフである。
【図２２】臨床試験月数と平均スコア変化量との関係を示すデータグラフである。
【図２３】臨床試験月数とアンケート平均スコアとの関係を示すデータグラフである。
【図２４】臨床試験月数とアンケート平均スコアとの関係を示すデータグラフである。
【図２５】臨床試験月数と平均スコア変化量との関係を示すデータグラフである。
【図２６】臨床試験月数と平均スコア変化量との関係を示すデータグラフである。
【発明を実施するための形態】
【００１７】
本発明が提出した遠赤外線繊維の男性性機能を増強するための下着をより明瞭に記述するために、添付図面を参照しながら、本発明の好適な実施例を以下に詳述する。
【実施例１】
【００１８】
本発明は、遠赤外線繊維の男性性機能を増強するための下着の旨を開示している。図２Ａと図２Ｂは、男性性機能を増強するための下着の第１実施例の斜視図である。
図２Ａと図２Ｂを参照する。図示するように、かかる男性性機能を増強するための下着１（以下、下着１と略称する）は、複数本の遠赤外線繊維１１と複数本の繊維１２とから編成され、なおかつ、当該遠赤外線繊維１１の繊維数が、下着１の繊維総数の２０％〜５０％を占める。例えば、図２Ａと図２Ｂには、下着１の前布部１３と股下部１４は、遠赤外線繊維１１から編成され、その他の部分は、一般的に肌着の製造に応用することが可能な繊維１２から編成されるものを示している。
【００１９】
続いて図２Ａと図２Ｂを参照すると共に、図３に示す遠赤外線繊維の断面図を同時に参照する。
図３に示すように、かかる遠赤外線繊維１１は、ポリマー鞘１１１と、前記ポリマー鞘１１１内にドープされた・包まれた複数粒の遠赤外線金属顆粒１１２とを含む。その名の通り、ポリマー鞘１１１は、ポリマー材料から作成されており、よく見かけられる人造繊維のポリマー材料は、ポリエステル（Ｐｏｌｙｅｓｔｅｒ，ＰＥＴ）、ポリウレタン（Ｐｏｌｙｕｒｅｔｈａｎｅ，ＰＵ）、ポリ塩化ビニル（Ｐｏｌｙ（ｖｉｎｙｌ  ｃｈｌｏｒｉｄｅ），ＰＶＣ）、ポリプロピレン（Ｐｏｌｙ  ｐｒｏｐｙｌｅｎｅ，ＰＰ）、またはポリアミド（Ｐｏｌｙａｍｉｄｅ，ＰＡ）を含む。説明に値するのは、いくつかの研究により、ビニル基（ｖｉｎｙｌ）含有のポリマー単体を赤ちゃんや敏感肌の患者の皮膚に接触した場合に、皮膚が赤く腫れたり、かゆみを伴ったりするなどの症状を起こしてしまうケースもあった。これらを踏まえて、類似した問題を改善するために、ポリマー鞘１１１は、高分子ポリマーからなってもよく、かつ前記高分子ポリマーは、少なくとも５０ｗｔ％（重量比）以上のシリカ（ｓｉｌｉｃａ）材料を含有し、前記高分子ポリマーが下記化学構造式（１）で示される。
【００２０】
【化１】
2019056196.tif 000003
（式中、ｎは５０〜１００である）
【００２１】
一方、かかる複数粒の遠赤外線金属顆粒１１２は、粉体金属の混合物の形態で表され、かつかかる粉体金属の混合物は、粉体チタニウム金属と、粉体ゲルマニウム金属と、粉体亜鉛金属とを含み、その内、前記粉体チタニウム金属、粉体ゲルマニウム金属と前記粉体亜鉛金属は、それぞれ第１金属重量百分率、第２金属重量百分率と第３金属重量百分率を持ち、なおかつ、前記第１金属重量百分率は１１ｗｔ％〜１８ｗｔ％の間であり、前記第２金属重量百分率は０．１ｗｔ％〜０．２ｗｔ％の間であり、かつ前記第３金属重量百分率は０．０５ｗｔ％〜０．１５ｗｔ％の間である。
こうして、遠赤外線繊維１１から編成された前布部１３と股下部１４により遠赤外線が放射されて着用者の陰茎に刺激を与えると、海綿体の平滑筋が弛緩する。その結果、海綿体内の海綿体動脈が拡張し、海綿体内への血液の流入量の急激な増加が作用して、着用者の陰茎に性行為の完遂に十分な勃起状態が得られる。
【００２２】
説明に値するのは、遠赤外線繊維１１から編成された前布部１３と股下部１４の遠赤外線放射率を増大させるために、遠赤外線繊維１１内に粉体酸化物の材料と粉体炭化物の材料がさらにドープされる。その内、前記粉体酸化物の材料は、Ａｌ２Ｏ３、ＭｇＯ、ＮｉＯ２、ＳｉＯ２、ＺｒＯ２から選択されたいずれか１種であるか、または２種あるいは２種以上の混合物であってもよい。なおかつ、前記粉体炭化物の材料は、ＴａＣ、ＺｒＣ、ＳｉＣから選択されたいずれか１種であるか、または２種あるいは２種以上の混合物であってもよい。
このような配合によって、前記遠赤外線繊維１１は、０．８５以上の遠赤外線の平均放射率を有するようにさせる。勿論、チタニウム（Ｔｉ）、ゲルマニウム（Ｇｅ）、亜鉛（Ｚｎ）のほかに、他の遠赤外線放射能力を有する粉体金属の材料を使用または添加してもよく、例えば、銅、銀、アルミニウム、マグネシウムのいずれか１種の粉体金属を使用または添加してもよく、それらの中で任意の２種または２種以上の粉体金属の混合物を使用または添加してもよい。
【００２３】
次に、図４Ａ、図４Ｂと図４Ｃに示す男性性機能を増強するための下着の製作工程の模式図を参照する。かかる男性性機能を増強するための下着１の第１実施例は、以下のステップを利用して製造され得る。
ステップ（１）：図４Ａに示すように、複数粒の遠赤外線金属顆粒１１２をポリマー単体溶液１１１ａ中に加え、重合と造粒工程を経た後、複数粒の繊維マスターバッチ２を得る。
ステップ（２）：図４Ｂに示すように、紡績工程を経た後、前記複数粒の繊維マスターバッチ２を複数本の遠赤外線繊維１１に作成する。
ステップ（３）：図４Ｃに示すように、織編工程を経た後、前記複数本の遠赤外線繊維１１と複数本の繊維１２とで男性性機能を増強するための下着を編成する。
【実施例２】
【００２４】
ここで、補充説明すべき点は、上述した第１実施例の関連説明には、かかる繊維数の百分率が２０％〜５０％の間であると記載されているが、かかる男性性機能を増強するための下着１の技術的制限はそれによって限定されるものではない点である。厳密に言えば、第１実施例は、単に遠赤外線繊維１１を利用して下着１の前布部１３と股下部１４のみを編成した例であり、これは材料コストを節約するために採用した手段によるものである。
図５に示す男性性機能を増強するための下着の第２実施例の斜視図を参照する。図２Ｂと図５とを比較して分かるように、第２実施例の下着１は、複数本の遠赤外線繊維１１と複数本の繊維１２とから編成され、かつかかる遠赤外線繊維１１と前記複数本の繊維１２とが交織りされた交織構造となっている。交織りの場合、遠赤外線繊維１１の繊維数の百分率が最高５０％に達する。しかし、ビジネス上のコストを考慮した場合、遠赤外線繊維１１の製造コストが、一般のポリマー繊維のコストを大きく上回っていることに基づいて、既製服製造業者より、遠赤外線繊維１１の繊維数の百分率を５０％を超えるようにする可能性が低いと見做すことができる。
【実施例３】
【００２５】
勿論、コストを考慮しない場合は、遠赤外線繊維１１の繊維数の百分率を５０％より高くしてもよい。図６に示す男性性機能を増強するための下着の第３実施例の斜視図を参照する。
図５と図６とを比較して分かるように、第３実施例の下着１は、遠赤外線繊維１１を単一の繊維原料として編成されたものである。考えれば分かるように、かかる遠赤外線繊維１１の繊維数の百分率が１００％となる。
【００２６】
（第１臨床試験）
遠赤外線繊維１１と一般のポリマー繊維とで交織りして得られた下着１が、確かに男性性機能の増強・改善の効能を有するかどうかを確認するために、本願の発明者は、関連する臨床試験の計画を立てて実行した。下記の表１に示すように、第１臨床試験では、男性性機能障害を罹患した成人を試験対象とすると共に、それらを対照群と試験群に分けて３ヶ月間の臨床試験を行った。特別に説明すべきことは、対照群と試験群に着用してもらうサンプル（下着）は、いずれもかかる男性性機能を増強するための下着の第２実施例である。対照群と試験群との相違点は、試験を行う前に、特別に対照群の試験対象に着用してもらう下着が一般に市販されている下着と知らせることである。一方、対照群内の生理検査に異常を示した試験対象は高血圧に罹患している者であり、かつ試験群内の生理検査に異常を示した試験対象も高血圧に罹患している者である。
【００２７】
【表１】
2019056196.tif 000004
【００２８】
説明に値するのは、この臨床試験は、下記の（１）〜（１４）の被験者除外基準（ｅｘｃｌｕｓｉｏｎ  ｃｒｉｔｅｒｉａ）に基づいて厳格に行われた。
（１）臨床試験開始の７日前に、経口薬（Ｓｉｌｄｅｎａｆｉｌ、ＶａｒｄｅｎａｆｉｌやＴａｄａｌａｆｉｌ）、注射薬または真空吸引機を用いて陰茎海綿体に対して治療を行った者、
（２）血圧降下剤（ｄｏｘａｚｏｓｉｎやｎｉｔｒａｔｅ）、抗うつ剤、鎮静剤、ホルモン療法剤（ａｎｔｉ−ａｎｄｒｏｇｒｎ）や消化性潰瘍治療薬（ｃｉｍｅｔｉｄｉｎｅ）を常用している者、
（３）過去６ヶ月以内に、脳卒中や脊髄損傷のような中枢神経系の重篤な疾患の既往歴がある者、
（４）神経因子やホルモン因子などを含む非血管性の疾患因子に起因する勃起機能障害を罹患した者、
（５）ＨＩＶ患者や肝疾患の患者、
（６）生殖器異常あるいは性交を控える必要がある病気のある者、
（７）妊娠中または授乳中の性的パートナーを持つ者、
（８）ペロニー病の患者、
（９）アルコール依存者やニコチン依存者、
（１０）前立腺癌や他の悪性腫瘍に罹っている者、
（１１）臨床試験期間中に外科的手術（処置）を受ける予定がある者、
（１２）治験の評価に影響を及ぼすおそれのある不健康な精神状態にある者、
（１３）過去数ヶ月以内に、治験の評価に影響を及ぼすおそれのある性機能試験に参加した者、及び
（１４）臨床試験の計画書を遵守できない者。
【００２９】
１ヶ月ごとに受診するように試験対象に指導しておく。定期的な検診時、試験対象は、ＩＩＥＦ−５、ＱＥＱ、ＰＥＤＴとＩＰＳＳなどの４種類の質問票の記入を完了する必要があると共に、看護師に血圧、体温と脈拍を含む生体情報を測定してもらう。図７、図８、図９と図１０は、それぞれＩＩＥＦ−５質問票、ＱＥＱ質問票、ＰＥＤＴ質問票とＩＰＳＳ質問票を示す図表である。
【００３０】
図１１と図１２はいずれも臨床試験月数とアンケート平均スコアとの関係を示すデータグラフである。その内、図１１のアンケート平均スコアは、試験対象が記入したＩＩＥＦ−５質問票を集計して統計分析した結果であり、かつ図１２のアンケート平均スコアは、試験対象が記入したＱＥＱ質問票を集計して統計分析した結果である。図１１と図１２のデータから、吾人は、かかる男性性機能を増強するための下着１（図５参照）を着用し始めの１ヶ月目に比べ、男性性機能障害を罹患した試験対象に、かかる男性性機能を増強するための下着を継続的に３ヶ月間にわたり着用してもらった方が、勃起機能の面でも、勃起の質の面でも著しい改善が見られることを見出した。
続いて図１３と図１４を参照する。両図とも臨床試験月数と平均スコア変化量との関係を示すデータグラフである。図１３のデータから、男性性機能障害を罹患した試験対象に、かかる男性性機能を増強するための下着を継続的に３ヶ月間にわたり着用してもらったところ、勃起機能の面で顕著な改善が見られることが分かった。一方、図１４のデータから、男性性機能障害を罹患した試験対象に、かかる男性性機能を増強するための下着を継続的に３ヶ月間にわたり着用してもらったところ、勃起の質の面でも同様に顕著な改善傾向が見られることが分かった。
【００３１】
図１５と図１６はいずれも臨床試験月数とアンケート平均スコアとの関係を示すデータグラフである。その内、図１５のアンケート平均スコアは、試験対象が記入したＰＥＤＴ質問票を集計して統計分析した結果であり、かつ図１６のアンケート平均スコアは、試験対象が記入したＩＰＳＳ質問票を集計して統計分析した結果である。図１５と図１６のデータから、吾人は、かかる男性性機能を増強するための下着１（図５参照）を着用し始めの１ヶ月目に比べ、男性性機能障害を罹患した試験対象に、かかる男性性機能を増強するための下着を継続的に３ヶ月間にわたり着用してもらった方が、射精コントロール能力の面でも、下部尿路症状（ｌｏｗｅｒ  ｕｒｉｎａｒｙ  ｔｒａｃｔ  ｓｙｍｐｔｏｍ，ＬＵＴＳ）の面でも一定程度の改善が見られることを見出した。
続いて図１７と図１８を参照する。両図とも臨床試験月数と平均スコア変化量との関係を示すデータグラフである。図１７のデータから、男性性機能障害を罹患した試験対象に、かかる男性性機能を増強するための下着を継続的に３ヶ月間にわたり着用してもらったところ、射精コントロール能力の面で顕著な改善傾向が見られることが分かった。一方、図１８のデータから、男性性機能障害を罹患した試験対象に、かかる男性性機能を増強するための下着を継続的に３ヶ月間にわたり着用してもらったところ、下部尿路症状の面で顕著な改善傾向が見られることが分かった。
【００３２】
（第２臨床試験）
第１臨床試験の正確性を確認するために、本願の発明者は、同時に第２臨床試験の計画を立てて実行した。下記の表２に示すように、第２臨床試験では、男性性機能障害を罹患したかもしれない成人を試験対象とすると共に、それらを対照群と試験群に分けて３ヶ月間の臨床試験を行った。特別に説明すべきことは、対照群と試験群に着用してもらうサンプル（下着）は、いずれもかかる男性性機能を増強するための下着の第２実施例である。対照群と試験群との相違点は、試験を行う前に、特別に対照群の試験対象に着用してもらう下着が一般に市販されている下着と知らせることである。一方、対照群内の生理検査に異常を示した試験対象は高血圧に罹患している者であり、かつ試験群内の生理検査に異常を示した試験対象も高血圧に罹患している者である。
【００３３】
【表２】
2019056196.tif 000005
【００３４】
１ヶ月ごとに受診するように試験対象に指導しておく。定期的な検診時、試験対象は、ＩＩＥＦ−５、ＱＥＱ、ＰＥＤＴとＩＰＳＳなどの４種類の質問票の記入を完了する必要があると共に、看護師に血圧、体温と脈拍を含む生体情報を測定してもらう。
図１９と図２０はいずれも臨床試験月数とアンケート平均スコアとの関係を示すデータグラフである。その内、図１９のアンケート平均スコアは、試験対象が記入したＩＩＥＦ−５質問票を集計して統計分析した結果であり、かつ図２０のアンケート平均スコアは、試験対象が記入したＱＥＱ質問票を集計して統計分析した結果である。図１９と図２０のデータから、吾人は、かかる男性性機能を増強するための下着１（図５参照）を着用し始めの１ヶ月目に比べ、男性性機能障害を罹患した「かもしれない」試験対象に、かかる男性性機能を増強するための下着を継続的に３ヶ月間にわたり着用してもらった方が、勃起機能の面でも、勃起の質の面でも一定程度の改善（スコアの増加）が見られることを見出した。
続いて図２１と図２２を参照する。両図とも臨床試験月数と平均スコア変化量との関係を示すデータグラフである。図２１のデータから、男性性機能障害を罹患した「かもしれない」試験対象に、かかる男性性機能を増強するための下着を継続的に３ヶ月間にわたり着用してもらったところ、勃起機能の面で顕著な改善レベルが見られることが分かった。一方、図２２のデータから、男性性機能障害を罹患した「かもしれない」試験対象に、かかる男性性機能を増強するための下着を継続的に３ヶ月間にわたり着用してもらったところ、勃起の質の面で顕著な改善傾向が見られることが分かった。
【００３５】
図２３と図２４はいずれも臨床試験月数とアンケート平均スコアとの関係を示すデータグラフである。その内、図２３のアンケート平均スコアは、試験対象が記入したＰＥＤＴ質問票を集計して統計分析した結果であり、かつ図２４のアンケート平均スコアは、試験対象が記入したＩＰＳＳ質問票を集計して統計分析した結果である。図２３と図２４のデータから、吾人は、かかる男性性機能を増強するための下着１（図５参照）を着用し始めの１ヶ月目に比べ、男性性機能障害を罹患した「かもしれない」試験対象に、かかる男性性機能を増強するための下着を継続的に３ヶ月間にわたり着用してもらった方が、射精コントロール能力の面でも、下部尿路症状（ｌｏｗｅｒ  ｕｒｉｎａｒｙ  ｔｒａｃｔ  ｓｙｍｐｔｏｍ，ＬＵＴＳ）の面でも一定程度の改善が見られることを見出した。
続いて図２５と図２６を参照する。両図とも臨床試験月数と平均スコア変化量との関係を示すデータグラフである。図２５のデータから、男性性機能障害を罹患した「かもしれない」試験対象に、かかる男性性機能を増強するための下着を継続的に３ヶ月間にわたり着用してもらったところ、射精コントロール能力の面で顕著な改善レベルが見られることが分かった。一方、図２６のデータから、男性性機能障害を罹患した「かもしれない」試験対象に、かかる男性性機能を増強するための下着を継続的に３ヶ月間にわたり着用してもらったところ、下部尿路症状の面で顕著な改善傾向が見られることが分かった。
【００３６】
さらに、図１１〜図２６の資料に基づいて、吾人は、第１臨床試験と第２臨床試験の試験データを下記の表３と表４にまとめて示す。
【００３７】
【表３】
2019056196.tif 000006
【００３８】
【表４】
2019056196.tif 000007
【００３９】
表３と表４にまとめたデータから、第１臨床試験における男性性機能障害を罹患した試験対象、及び第２臨床試験における男性性機能障害を罹患した「かもしれない」試験対象に、本発明にかかる男性性機能を増強するための下着１（図５参照）を継続的に３ヶ月間にわたり着用してもらったところ、勃起機能、勃起の質、射精コントロール能力と下部尿路症状などの面では著しく改善されたことが明らかとなった。
【００４０】
遠赤外線の照射により生じる温感効果は、血液の循環を促進して新陳代謝を活発にさせることができるほか、不飽和脂肪酸が酸化されて過酸化脂質（血中脂質）を生成するのも抑えられるので、血管内の脂質蓄積を低減させて、動脈硬化症の発症の抑制にも効果があることが知られている。一方、遠赤外線の、細胞中の一酸化窒素（ＮＯ）とカルモジュリン（Ｃａｌｍｏｄｕｌｉｎ）の濃度を増大させる効果は、いくつかの生体外試験により立証された。
【００４１】
その内、一酸化窒素は、免疫調節、神経伝導と血管平滑筋弛緩などの作用の調節制御に重要な役割を果たすことが知られている。注意すべきことは、一酸化窒素がグアニル酸シクラーゼ（ｇｕｎａｎｙｌａｔｅ  ｃｙｃｌａｓｅ）を活性化して、環状グアノシン一リン酸（Ｃｙｃｌｉｃ  ｇｕａｎｏｓｉｎｅ  ｍｏｎｏｐｈｏｓｐｈａｔｅ，ｃＧＭＰ）レベルを上昇させる。次に、ｃＧＭＰの増加がプロテインキナーゼＧ（ｐｒｏｔｅｉｎ  ｋｉｎａｓｅ  Ｇ，ＰＫＧ）を活性化して、筋収縮制御に欠かせないカルシウムイオンの濃度が低下すると、ミオシン軽鎖（ｍｙｏｓｉｎ  ｌｉｇｈｔ  ｃｈａｉｎ）は脱リン酸化し、平滑筋は弛緩する。そのため、一酸化窒素は、勃起過程において非常に重要な役割を果たしている。
【００４２】
本発明の男性性機能を増強するための下着１は、遠赤外線繊維１１から放射される遠赤外線を利用して着用者の陰茎に刺激を与えると、海綿体の平滑筋が弛緩する。その結果、海綿体内の海綿体動脈が拡張し、海綿体内への血液の流入量の急激な増加が作用して、着用者の陰茎に性行為の完遂に十分な勃起状態が得られる。これに鑑みて、試験対象の定期的な検診時と同時に、看護師に血圧、体温と脈拍を含む生体情報を測定してもらう。
関連生体情報を下記の表５、表６と表７にまとめて示す。表５、表６と表７から明らかなように、本発明にかかる男性性機能を増強するための下着を継続的に３ヶ月間にわたり着用しても、着用者の生理的状態に対して何らの悪影響も与えないことが証明された。
【００４３】
【表５】
2019056196.tif 000008
【００４４】
【表６】
2019056196.tif 000009
【００４５】
【表７】
2019056196.tif 000010
【産業上の利用可能性】
【００４６】
以上のように、本発明の遠赤外線繊維の男性性機能を増強するための下着を十分かつ明瞭に説明してきた。さらに、上記によれば、本発明は、下記の利点を有することが分かる。
【００４７】
（１）本発明は、特殊な合成薬及び漢方薬組成物を服用する方式で男性性機能を即効的に改善するための多くの従来技術と異なり、複数本の遠赤外線繊維１１と複数本の繊維１２とから編成された男性性機能を増強するための下着である。臨床データによれば、男性性機能障害を罹患した成人及び男性性機能障害を罹患した「かもしれない」成人に、かかる男性性機能を増強するための下着１（図５参照）を継続的に３ヶ月間にわたり着用してもらったところ、勃起機能、勃起の質、射精コントロール能力と下部尿路症状を著しく改善することが明らかになった。
【００４８】
（２）同時に、臨床データによれば、成年男性に、本発明にかかる男性性機能を増強するための下着を継続的に３ヶ月間にわたり着用しても、その生理的状態に対して何らの悪影響も与えない。
【００４９】
強調すべき点は、上記の詳細な説明は、本発明の実施可能な実施例を具体的に説明したものであり、本発明の権利範囲はこれらの実施例に限定されるものではなく、本発明の技術的精神を逸脱しない限り、その等効果実施又は変更は、なお、本願の特許請求の範囲内に含まれる点である。
【符号の説明】
【００５０】
１  男性性機能を増強するための下着
１１  遠赤外線繊維
１２  繊維
１３  前布部
１４  股下部
１１１  ポリマー鞘
１１２  遠赤外線金属顆粒
１１１ａ  ポリマー単体溶液
２  繊維マスターバッチ
１’  男性勃起安定器
１１’  主体
１２’  中央貫通孔
【図１】
2019056196.tif 000013
【図２Ａ】
2019056196.tif 000014
【図２Ｂ】
2019056196.tif 000015
【図３】
2019056196.tif 000016
【図４Ａ】
2019056196.tif 000017
【図４Ｂ】
2019056196.tif 000018
【図４Ｃ】
2019056196.tif 000019
【図５】
2019056196.tif 000020
【図６】
2019056196.tif 000021
【図７】
2019056196.tif 000022
【図８】
2019056196.tif 000023
【図９】
2019056196.tif 000024
【図１０】
2019056196.tif 000025
【図１１】
2019056196.tif 000026
【図１２】
2019056196.tif 000027
【図１３】
2019056196.tif 000028
【図１４】
2019056196.tif 000029
【図１５】
2019056196.tif 000030
【図１６】
2019056196.tif 000031
【図１７】
2019056196.tif 000032
【図１８】
2019056196.tif 000033
【図１９】
2019056196.tif 000034
【図２０】
2019056196.tif 000035
【図２１】
2019056196.tif 000036
【図２２】
2019056196.tif 000037
【図２３】
2019056196.tif 000038
【図２４】
2019056196.tif 000039
【図２５】
2019056196.tif 000040
【図２６】
2019056196.tif 000041
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
複数本の第１繊維と複数本の第２繊維とから編成された男性性機能を増強するための下着であって、
各本の第１繊維は、ポリマー鞘と、前記ポリマー鞘内にドープされ包まれた複数粒の遠赤外線金属顆粒とを含み、
当該第１繊維の繊維数が、前記男性性機能を増強するための下着の繊維総数の２０％〜５０％を占め、
前記複数粒の遠赤外線金属顆粒は、１１ｗｔ％〜１８ｗｔ％である第１金属重量百分率を持つ粉体チタニウム金属と、０．１ｗｔ％〜０．２ｗｔ％である第２金属重量百分率を持つ粉体ゲルマニウム金属と、０．０５ｗｔ％〜０．１５ｗｔ％である第３金属重量百分率を持つ粉体亜鉛金属とを含むことを特徴とする、
遠赤外線繊維の男性性機能を増強するための下着。
【請求項２】
前記男性性機能を増強するための下着のタイプは、ブリーフ（Ｂｒｉｅｆｓ）、ボクサーブリーフ（Ｂｏｘｅｒ  ｂｒｉｅｆｓ）、またはトランクス（Ｂｏｘｅｒ  ｓｈｏｒｔｓ）のいずれか１種であることを特徴とする、請求項１に記載の遠赤外線繊維の男性性機能を増強するための下着。
【請求項３】
前記ポリマー鞘の製造材料は、ポリエチレンテレフタレート（polyethylene terephthalate，ＰＥＴ）、ポリウレタン（Ｐｏｌｙｕｒｅｔｈａｎｅ，ＰＵ）、ポリ塩化ビニル（Ｐｏｌｙ（ｖｉｎｙｌ  ｃｈｌｏｒｉｄｅ），ＰＶＣ）、ポリプロピレン（Ｐｏｌｙ  ｐｒｏｐｙｌｅｎｅ，ＰＰ）、またはポリアミド（Ｐｏｌｙａｍｉｄｅ，ＰＡ）のいずれか１種であることを特徴とする、請求項１に記載の遠赤外線繊維の男性性機能を増強するための下着。
【請求項４】
前記ポリマー鞘は、高分子ポリマーからなり、かつ前記高分子ポリマーは、少なくとも５０ｗｔ％（重量比）以上のシリカ（ｓｉｌｉｃａ）材料を含有し、前記高分子ポリマーが下記化学構造式（１）で示されることを特徴とする、請求項１に記載の遠赤外線繊維の男性性機能を増強するための下着。
【化１】
2019056196.tif 000042
（式中、ｎは５０〜１００である）
【請求項５】
前記複数本の遠赤外線繊維は、２μｍ〜２２μｍにある波長範囲の遠赤外線を発生し、かつ前記遠赤外線の平均放射率が少なくとも９０％であることを特徴とする、請求項１に記載の遠赤外線繊維の男性性機能を増強するための下着。
【請求項６】
前記複数粒の遠赤外線金属顆粒は、前記遠赤外線の平均放射率を増大させるために、粉体酸化物と粉体炭化物とをさらに含むことを特徴とする、請求項１に記載の遠赤外線繊維の男性性機能を増強するための下着。
【請求項７】
前記粉体酸化物の材料は、Ａｌ２Ｏ３、ＭｇＯ、ＮｉＯ２、ＳｉＯ２、ＺｒＯ２から選択されたいずれか１種であるか、または２種あるいは２種以上の混合物であることを特徴とする、請求項６に記載の遠赤外線繊維の男性性機能を増強するための下着。
【請求項８】
前記粉体炭化物の材料は、ＴａＣ、ＺｒＣ、ＳｉＣから選択されたいずれか１種であるか、または２種あるいは２種以上の混合物であることを特徴とする、請求項６に記載の遠赤外線繊維の男性性機能を増強するための下着。
【請求項９】
複数本の遠赤外線繊維から編成された男性性機能を増強するための下着であって、
各本の遠赤外線繊維は、ポリマー鞘と、前記ポリマー鞘内にドープされ包まれた複数粒の遠赤外線金属顆粒とを含み、
前記複数粒の遠赤外線金属顆粒は、１１ｗｔ％〜１８ｗｔ％である第１金属重量百分率を持つ粉体チタニウム金属と、０．１ｗｔ％〜０．２ｗｔ％である第２金属重量百分率を持つ粉体ゲルマニウム金属と、０．０５ｗｔ％〜０．１５ｗｔ％である第３金属重量百分率を持つ粉体亜鉛金属とを含むことを特徴とする、
遠赤外線繊維の男性性機能を増強するための下着。
【請求項１０】
前記男性性機能を増強するための下着のタイプは、ブリーフ（Ｂｒｉｅｆｓ）、ボクサーブリーフ（Ｂｏｘｅｒ  ｂｒｉｅｆｓ）、またはトランクス（Ｂｏｘｅｒ  ｓｈｏｒｔｓ）のいずれか１種であることを特徴とする、請求項９に記載の遠赤外線繊維の男性性機能を増強するための下着。
【請求項１１】
前記ポリマー鞘の製造材料は、ポリエチレンテレフタレート（polyethylene terephthalate，ＰＥＴ）、ポリウレタン（Ｐｏｌｙｕｒｅｔｈａｎｅ，ＰＵ）、ポリ塩化ビニル（Ｐｏｌｙ（ｖｉｎｙｌ  ｃｈｌｏｒｉｄｅ），ＰＶＣ）、ポリプロピレン（Ｐｏｌｙ  ｐｒｏｐｙｌｅｎｅ，ＰＰ）、またはポリアミド（Ｐｏｌｙａｍｉｄｅ，ＰＡ）のいずれか１種であることを特徴とする、請求項９に記載の遠赤外線繊維の男性性機能を増強するための下着。
【請求項１２】
前記ポリマー鞘は、高分子ポリマーからなり、かつ前記高分子ポリマーは、少なくとも５０ｗｔ％（重量比）以上のシリカ（ｓｉｌｉｃａ）材料を含有し、前記高分子ポリマーが下記化学構造式（２）で示されることを特徴とする、請求項９に記載の遠赤外線繊維の男性性機能を増強するための下着。
【化２】
2019056196.tif 000043
（式中、ｎは５０〜１００である）
【請求項１３】
前記複数本の遠赤外線繊維は、２μｍ〜２２μｍにある波長範囲の遠赤外線を発生し、かつ前記遠赤外線の平均放射率が少なくとも９０％であることを特徴とする、請求項９に記載の遠赤外線繊維の男性性機能を増強するための下着。
【請求項１４】
前記複数粒の遠赤外線金属顆粒は、前記遠赤外線の平均放射率を増大させるために、粉体酸化物と粉体炭化物とをさらに含むことを特徴とする、請求項９に記載の遠赤外線繊維の男性性機能を増強するための下着。
【請求項１５】
前記粉体酸化物の材料は、Ａｌ２Ｏ３、ＭｇＯ、ＮｉＯ２、ＳｉＯ２、ＺｒＯ２から選択されたいずれか１種であるか、または２種あるいは２種以上の混合物であることを特徴とする、請求項１４に記載の遠赤外線繊維の男性性機能を増強するための下着。
【請求項１６】
前記粉体炭化物の材料は、ＴａＣ、ＺｒＣ、ＳｉＣから選択されたいずれか１種であるか、または２種あるいは２種以上の混合物であることを特徴とする、請求項１４に記載の遠赤外線繊維の男性性機能を増強するための下着。